(57)【要約】【課題】設計自由度を高めた光ピックアップを提供する。【解決手段】２波長対応型光ピックアップにおいて、第１のレーザダイオード２０１からの第１のレーザ光を所定方向へ進行させる第１のビームスプリッタ２０７と、第１のビームスプリッタに関して前記所定方向側に配置され、第１のビームスプリッタからの第１のレーザ光を透過させるとともに、第２のレーザダイオード２０２からの第２のレーザ光を反射し、その進行方向を、透過させた第１のレーザ光に一致させる第２のビームスプリッタ２０８との間に、第１のレーザ光を拡大する凹レンズ２２０を配置する。第１のレーザダイオードに関する往路光学系焦点距離は、凹レンズとコリメータレンズ２１０により、第２のレーザダイオードに関する往路光学系距離は、コリメータレンズにより決る。【選択図】          図２
2004288340.tif 000002
【特許請求の範囲】
【請求項１】
第１のレーザ光を出射する第１のレーザダイオードと、前記第１のレーザ光とは波長の異なる第２のレーザ光を出射する第２のレーザダイオードと、前記第１のレーザ光及び前記第２のレーザ光を集光して光ディスクに照射する対物レンズと、光ディスクで反射された戻り光を検出する光検出器と、前記第１のレーザダイオードから出射された前記第１のレーザ光の光路と前記第２のレーザダイオードから出射された前記第２のレーザ光の光路とを互いに一致させて前記対物レンズに導くとともに、前記戻り光を前記光検出器に導く光学系とを備えた光ピックアップにおいて、
前記光学系が、
前記第１のレーザダイオードから出射された前記第１のレーザ光を反射して所定方向へ進行させる第１のビームスプリッタと、
該第１のビームスプリッタに関して前記所定方向側に配置され、前記第１のビームスプリッタで反射された前記第１のレーザ光を透過させるとともに、前記第２のレーザダイオードから出射された前記第２のレーザ光を反射し、その進行方向を、透過させた前記第１のレーザ光の進行方向と一致させる第２のビームスプリッタと、
前記第１のビームスプリッタと前記第２のビームスプリッタとの間に配置され、前記第１のビームスプリッタで反射されて前記第２のビームスプリッタへと向かう前記第１のレーザ光を拡大する凹レンズと、
前記第２のビームスプリッタと前記対物レンズとの間に配置され、前記第２のビームスプリッタを透過した前記第１のレーザ光と、前記第２のビームスプリッタで反射された前記第２のレーザ光とを、それぞれ平行光に変換して前記対物レンズに入射させるコリメータレンズと、
を備えていることを特徴とする光ピックアップ。
【請求項２】
前記凹レンズが、前記光ディスクで反射された戻り光を拡大して前記光検出器に導くセンサーレンズを兼ねることを特徴とする請求項１に記載の光ピックアップ。
【請求項３】
前記第１のレーザダイオードから前記コリメータレンズまでの光学系焦点距離が、前記第２のレーザダイオードから前記コリメータレンズまでの光学系焦点距離よりも長いことを特徴とする請求項１又は２に記載の光ピックアップ。
【請求項４】
前記第１のレーザダイオードと前記第１のビームスプリッタとの間には、第１の回折格子が配置され、前記第２のレーザダイオードと前記第２のビームスプリッタとの間には、１／４波長板及び第２の回折格子が配置されていることを特徴とする請求項１，２又は３に記載の光ピックアップ。
【請求項５】
前記第１のレーザダイオードが、ＤＶＤ用レーザダイオードであり、前記第２のレーザダイオードがＣＤ用レーザダイオードであることを特徴とする請求項１乃至４に記載の光ピックアップ。
【請求項６】
請求項１乃至５に記載された光ピックアップを備えたことを特徴とする光ディスクドライブ。
【発明の詳細な説明】
【０００１】
【発明の属する技術分野】
本発明は、光ディスクドアライブに用いられる光ピックアップに関し、特に２波長対応型光ピックアップの改良に関する。
【０００２】
【従来の技術】
光ディスクドライブは、ＣＤやＤＶＤなどの光ディスクに記録された情報を読み出し、また、光ディスクに情報を書き込むために光ピックアップを備えている。
【０００３】
光ピックアップには、ＣＤ及びＤＶＤの両方の光ディスクに対応するために、２つの光源（ＣＤ用レーザダイオード及びＤＶＤ用レーザダイオードを備えた、いわゆる２波長対応型と呼ばれるものがある。
【０００４】
従来の２波長対応型光ピックアップにおける光学系の一構成例を図１に示す。
【０００５】
図示の２波長対応型光ピックアップは、第１の波長を持つ第１のレーザ光を出射するＤＶＤ用の第１のレーザダイオード１０１と、第１の波長とは異なる第２の波長を持つ第２のレーザ光を出射するＣＤ用の第２のレーザダイオード１０２と、第１及び第２の回折格子（ＧＲＴ：グレーティング）１０３及び１０４と、集光レンズ１０５と、１／４波長板（ＱＷＰ）１０６と、第１及び第２のビームスプリッタ（ＢＳＰ）１０７及び１０８と、立上げミラー１０９と、コリメータレンズ１１０と、対物レンズ１１１と、センサーレンズ１１２と、光検出器（ＰＤＩＣ：フォトディテクタ集積回路）１１３とを備えている。
【０００６】
第１の回折格子１０３、第１及び第２のビームスプリッタ１０７及び１０８、立上げミラー１０９、コリメータレンズ１１０、対物レンズ１１１及びセンサーレンズ１１２の組み合わせは、第１のレーザダイオード１０１から出射された第１のレーザ光を光ディスク（図示せず）へ導くとともに、光ディスクで反射された第１の戻り光を光検出器１１３へ導く第１の光学系として働く。
【０００７】
また、集光レンズ１０５、１／４波長板１０６、第２の回折格子１０４、第２のビームスプリッタ１０８、立上げミラー１０９、コリメータレンズ１１０、対物レンズ１１１、第１のビームスプリッタ１０７、及びセンサーレンズ１１２の組み合わせは、第２のレーザダイオード１０２から出射された第２のレーザ光を光ディスクに導き、そこで反射された第２の戻り光を光検出器１１３へ導く第２の光学系として働く。
【０００８】
次に、各光学要素の作用（働き）について説明する。
【０００９】
第１のレーザダイオード１０１は、第１の波長としてＤＶＤ用の波長約６５０ｎｍを持つ第１のレーザ光を出射する。第２のレーザダイオード１０２は、第２の波長としてＣＤ用の波長約７８０ｎｍを持つ第２のレーザ光を出射する。
【００１０】
第１の回折格子１０３は、第１のレーザダイオード１０１から出射された１本の光束（第１のレーザ光）を３本（中央の光束とその両側の２本の光束）に分割する。同様に、第２の回折格子１０４は、第２のレーザダイオード１０２から出射された１本の光束（第２のレーザ光）を３本（中央の光束とその両側の２本の光束）に分割する。
【００１１】
集光レンズ１０５は、第２のレーザダイオード１０２からコリメータレンズ１１０までの光学系の焦点距離を調節するため、第２のレーザ光を集光する。
【００１２】
１／４波長板１０６は、第２のレーザ光の偏光状態を変化させる。
【００１３】
第１のビームスプリッタ１０７は、第１の回折格子１０３を介して入射する３本の第１のレーザ光を反射し、光ディスクからの第１及び第２の戻り光を透過させる。
【００１４】
第２のビームスプリッタ１０８は、集光レンズ１０５、１／４波長板１０６及び第２の回折格子１０４を介して入射する３本の第２のレーザ光を反射するとともに、光ディスクからの第１及び第２の戻り光を透過させる。
【００１５】
第１及び第２のビームスプリッタ１０７及び１０８は、第１のレーザダイオード１０１から出射された第１のレーザ光と第２のレーザダイオード１０２から出射された第２のレーザ光とを同一光路上に導くように配置され、光軸一致手段として働く。
【００１６】
立上げミラー１０９は、第２のビームスプリッタ１０８を透過した第１のレーザ光及び第２のビームスプリッタ１０８で反射された第２のレーザ光を、それぞれ全反射してその進行方向を９０°折り曲げ、コリメータレンズ１１０に入射させる。また、コリメータレンズ１１０からの第１及び第２の戻り光を全反射して、第２のビームスプリッタ１０８に入射させる。
【００１７】
コリメータレンズ１１０は、立上げミラー１０９からの第１のレーザ光及び第２のレーザ光を平行光に変換し、対物レンズ１１１に入射させる。また、対物レンズ１１１からの第１及び第２の戻り光を集光し、立上げミラー１０９に入射させる。
【００１８】
対物レンズ１１１は、コリメータレンズ１１０からの平行光を集光して光ディスクに照射する。また、光ディスクからの第１及び第２の戻り光を集光してコリメータレンズ１１０に入射させる。
【００１９】
センサーレンズ１１２は、第１のビームスプリッタ１０７を透過した第１及び第２の戻り光を拡大し、光検出器１１３へ入射させる。
【００２０】
光検出器１１３は、入射した第１及び第２の戻り光（それぞれ３つの光束）をそれぞれ電気信号に変換する。
【００２１】
以上の構成において、光ディスクがＤＶＤのときは、第１のレーザダイオード１０１のみが動作状態に置かれ、第２のレーザダイオード１０２は非動作状態に置かれる。
【００２２】
書き込みモードの場合、第１のレーザダイオード１０１から出射した第１のレーザ光は、第１の回折格子１０３で３つの光束に分割され、第１のビームスプリッタ１０７で反射され、第２のビームスプリッタ１０８、立上げミラー１０９、コリメータレンズ１１０及び対物レンズ１１１を介してＤＶＤの記録面上に照射される。こうして、ＤＶＤの記録面に情報が記録される。
【００２３】
再生モードの場合、上述のようにＤＶＤの記録面に第１のレーザ光を照射したときの反射光が、対物レンズ１１１、コリメータレンズ１１０、立上げミラー１０９、第２のビームスプリッタ１０８、第１のビームスプリッタ１０７、及びセンサーレンズ１１２を介して、光検出器１１３へと導かれる。そして、光検出器１１３の出力によりＤＶＤの記録面に記録された情報が再生されるとともにフォーカシング制御及びトラッキング制御が行われる。
【００２４】
一方、光ディスクがＣＤのときは、第２のレーザダイオード１０２のみが動作状態に置かれ、第１のレーザダイオード１０１は非動作状態に置かれる。
【００２５】
書き込みモードの場合、第２のレーザダイオード１０２から出射した第２のレーザ光は、集光レンズ１０５で集光され、１／４波長板１０６で偏光状態の変換を受けた後、第２の回折格子１０４で３つの光束に分割される。その後、第２のレーザ光は、第２のビームスプリッタ１０８で反射され、立上げミラー１０９、コリメータレンズ１１０及び対物レンズ１１１を介してＣＤの記録面上に照射される。こうして、ＣＤの記録面に情報が記録される。
【００２６】
再生モードの場合は、ＤＶＤの場合と同様、上述のようにＣＤの記録面に第２のレーザ光を照射したときの反射光が、対物レンズ１１１、コリメータレンズ１１０、立上げミラー１０９、第２のビームスプリッタ１０８、第１のビームスプリッタ１０７、及びセンサーレンズ１１２を介して、光検出器１１３へと導かれる。そして、光検出器１１３の出力によりＤＶＤの記録面に記録された情報が再生されるとともにフォーカシング制御及びトラッキング制御が行われる。
【００２７】
【発明が解決しようとする課題】
従来の光ピックアップでは、第１のレーザダイオードからコリメータレンズまでのＤＶＤ往路光学系焦点距離を、コリメータレンズの焦点距離に等しくしてある。そして、第２のレーザダイオードからコリメータレンズまでのＣＤ往路光学系の焦点距離を、集光レンズを用いて、コリメータレンズの焦点距離よりも短かくしてある。
【００２８】
このように、従来の光ピックアップでは、ＤＶＤ往路光学系焦点距離をコリメータレンズの焦点距離に一致させているので、設計の自由度が小さいという問題点がある。
【００２９】
そこで、本発明は、設計自由度を高めた光ピックアップを提供することを目的とする。
【００３０】
【課題を解決するための手段】
本発明によれば、第１のレーザ光を出射する第１のレーザダイオード（２０１）と、前記第１のレーザ光とは波長の異なる第２のレーザ光を出射する第２のレーザダイオード（２０２）と、前記第１のレーザ光及び前記第２のレーザ光を集光して光ディスクに照射する対物レンズ（２１１）と、光ディスクで反射された戻り光を検出する光検出器（２１３）と、前記第１のレーザダイオード（２０１）から出射された前記第１のレーザ光の光路と前記第２のレーザダイオード（２０２）から出射された前記第２のレーザ光の光路とを互いに一致させて前記対物レンズ（２１１）に導くとともに、前記戻り光を前記光検出器（２１３）に導く光学系とを備えた光ピックアップにおいて、前記光学系が、前記第１のレーザダイオード（２０１）から出射された前記第１のレーザ光を反射して所定方向へ進行させる第１のビームスプリッタ（２０７）と、該第１のビームスプリッタ（２０７）に関して前記所定方向側に配置され、前記第１のビームスプリッタ（２０７）で反射された前記第１のレーザ光を透過させるとともに、前記第２のレーザダイオード（２０２）から出射された前記第２のレーザ光を反射し、その進行方向を、透過させた前記第１のレーザ光の進行方向と一致させる第２のビームスプリッタ（２０８）と、前記第１のビームスプリッタ（２０７）と前記第２のビームスプリッタ（２０８）との間に配置され、前記第１のビームスプリッタ（２０７）で反射されて前記第２のビームスプリッタ（２０８）へと向かう前記第１のレーザ光を拡大する凹レンズ（２２０）と、前記第２のビームスプリッタ（２０８）と前記対物レンズ（２１１）との間に配置され、前記第２のビームスプリッタ（２０８）を透過した前記第１のレーザ光と、前記第２のビームスプリッタ（２０８）で反射された前記第２のレーザ光とを、それぞれ平行光に変換して前記対物レンズ（２１１）に入射させるコリメータレンズ（２１０）と、を備えていることを特徴とする光ピックアップが得られる。
【００３１】
上記光ピックアップにおいて、前記凹レンズ（２２０）は、前記光ディスクで反射された戻り光を拡大して前記光検出器に導くセンサーレンズを兼ねている。
【００３２】
また、上記光ピックアップにおいて、前記第１のレーザダイオード（２０１）から前記コリメータレンズ（２１０）までの光学系焦点距離は、前記第２のレーザダイオード（２０２）から前記コリメータレンズ（２１０）までの光学系焦点距離よりも長くしてある。
【００３３】
なお、上記括弧内の参照符号は、本発明の理解を容易にするために付したものであって、何ら本発明を限定するものではない。
【００３４】
【発明の実施の形態】
以下、図面を参照して、本発明の実施の形態について詳細に説明する。
【００３５】
図２に本発明の一実施の形態に係る２波長対応型光ピックアップの光学系を示す。なお、この２波長対応型光ピックアップは、規格の異なる２種の光ディスク（ここでは、ＤＶＤとＣＤ）に対し記録／再生を行うことができる光ディスクドライブに搭載されるものである。
【００３６】
図２に示す２波長対応型光ピックアップは、第１の波長を持つ第１のレーザ光を出射するＤＶＤ用の第１のレーザダイオード２０１と、第１の波長とは異なる第２の波長を持つ第２のレーザ光を出射するＣＤ用の第２のレーザダイオード２０２と、第１及び第２の回折格子（ＧＲＴ：グレーティング）２０３及び２０４と、１／４波長板（ＱＷＰ）２０６と、第１及び第２のビームスプリッタ（ＢＳＰ）２０７及び２０８と、凹レンズ（メニスカスレンズ）２２０と、立上げミラー２０９と、コリメータレンズ２１０と、対物レンズ２１１と、光検出器（ＰＤＩＣ：フォトディテクタ集積回路）２１３とを備えている。
【００３７】
第１の回折格子２０３、第１のビームスプリッタ２０７、凹レンズ２２０、第２のビームスプリッタ２０８、立上げミラー２０９、コリメータレンズ２１０、対物レンズ２１１の組み合わせは、第１のレーザダイオード２０１から出射された第１のレーザ光を光ディスク（図示せず）へ導くとともに、光ディスクで反射された第１の戻り光を光検出器２１３へと導く第１の光学系として働く。なお、第１のレーザダイオード２０１からコリメータレンズ２１０までの光学要素の組み合わせをＤＶＤ往路光学系と呼ぶ。
【００３８】
また、１／４波長板２０６、第２の回折格子２０４、第２のビームスプリッタ２０８、立上げミラー２０９、コリメータレンズ２１０、対物レンズ２１１、凹レンズ２２０、及び第１のビームスプリッタ２０７の組み合わせは、第２のレーザダイオード２０２から出射された第２のレーザ光を光ディスクに導き、そこで反射された第２の戻り光を光検出器２１３へと導く第２の光学系として働く。なお、第２のレーザダイオード２０２からコリメータレンズまでの光学要素の組み合わせをＣＤ往路光学系と呼ぶ。
【００３９】
次に、各光学要素の作用（働き）について説明する。
【００４０】
第１のレーザダイオード２０１は、第１の波長としてＤＶＤ用の波長約６５０ｎｍを持つ第１のレーザ光を出射する。第２のレーザダイオード２０２は、第２の波長としてＣＤ用の波長約７８０ｎｍを持つ第２のレーザ光を出射する。
【００４１】
第２の回折格子２０３は、第１のレーザダイオード２０１から出射された１本の光束（第１のレーザ光）を３本（中央の光束とその両側の２本の光束）に分割する。同様に、第２の回折格子２０４は、第２のレーザダイオード２０２から出射された１本の光束（第２のレーザ光）を３本（中央の光束とその両側の２本の光束）に分割する。
【００４２】
１／４波長板２０６は、第２のレーザ光の偏光状態を変化させる。
【００４３】
第１のビームスプリッタ２０７は、第１の回折格子２０３を介して入射する３本の第１のレーザ光を反射し、凹レンズ２２０に入射させる。また、凹レンズ２２０側から入射する第１及び第２の戻り光を光検出器２１３側へ透過させる。
【００４４】
第２のビームスプリッタ２０８は、１／４波長板２０６及び第２の回折格子２０４を介して入射する３本の第２のレーザ光を反射して立上げミラー２０９へ入射させる。また、立上げミラー２０９側から入射する第１及び第２の戻り光を光検出器２１３側へ透過させる。
【００４５】
ここで、第１及び第２のビームスプリッタ２０７及び２０８は、第１のレーザダイオード２０１から出射された第１のレーザ光と第２のレーザダイオード２０２から出射された第２のレーザ光とを同一光路上に導くように配置されている。即ち、第２のレーザビームスプリッタ２０８は、第１のビームスプリッタ２０７で反射された第１のレザー光の光路と、自身が反射する第２のレーザ光の光路が一致するように、第１のレーザ光の光路上に配置されている。つまり、これらのビームスプリッタ２０７及び２０８は、光軸一致手段として働く。
【００４６】
凹レンズ２２０は、第１のビームスプリッタ２０７からの第１のレーザビームを拡大して、第２のビームスプリッタ２０８に入射させる。また、この凹レンズ２２０は、第２のビームスプリッタ２０８を透過した第１及び第２の戻り光を拡大して第１のビームスプリッタ２０７へ入射させる。
【００４７】
立上げミラー２０９は、第２のビームスプリッタ２０８を透過した第１のレーザ光及び第２のビームスプリッタ２０８で反射された第２のレーザ光を、それぞれ全反射してその進行方向を９０°折り曲げ、コリメータレンズ２１０に入射させる。また、コリメータレンズ２１０からの第１及び第２の戻り光を全反射して、第２のビームスプリッタ２０８に入射させる。
【００４８】
コリメータレンズ２１０は、立上げミラー２０９からの第１のレーザ光及び第２のレーザ光をそれぞれ平行光に変換し、対物レンズ２１１に入射させる。また、対物レンズ２１１からの第１及び第２の戻り光を集光し、立上げミラー２０９に入射させる。
【００４９】
対物レンズ２１１は、コリメータレンズ２１０からの平行光を集光して光ディスクの記録面上に照射する。また、光ディスクからの第１及び第２の戻り光を集光してコリメータレンズ２１０へと入射させる。
【００５０】
光検出器２１３は、第１のビームスプリッタを透過して第１及び第２の戻り光（それぞれ３本の光束）をそれぞれ電気信号に変換する。
【００５１】
以上の構成において、光ディスクがＤＶＤのときは、第１のレーザダイオード２０１のみが動作状態に置かれ、第２のレーザダイオード２０２は非動作状態に置かれる。
【００５２】
書き込みモードの場合、第１のレーザダイオード２０１から出射した第１のレーザ光は、第１の回折格子２０３で３つの光束に分割される。第１の回折格子２０３で３分割された第１のレーザ光は、第１のビームスプリッタ２０７に入射し、そこで反射されて凹レンズ２２０に入射する。凹レンズ２２０に入射した第１のレーザ光は、拡大されて第２のビームスプリッタ２０８に入射する。第２のビームスプリッタ２０８に入射した第１のレーザ光は、そこを透過して、立上げミラー２０９で全反射され、コリメータレンズ２１０に入射する。コリメータレンズ２１０に入射した第１のレーザ光は平行光に変換され、対物レンズ２１１で集光されてＤＶＤの記録面上に照射される。こうして、ＤＶＤの記録面に情報が記録される。
【００５３】
再生モードの場合、上述のようにＤＶＤの記録面に第１のレーザ光を照射したときの反射光（第１の戻り光）が、対物レンズ２１１で集光され、コリメータレンズ２１０で更に集光され、立上げミラー２０９で全反射され、第２のビームスプリッタ２０８を透過して、凹レンズ２２０に入射する。凹レンズ２２０に入射した第１の戻り光は、そこで拡大され、第１のビームスプリッタ２０７を透過して光検出器２１３に入射する。そして、光検出器２１３に入射して第１の戻り光は、電気信号に変換され、ＤＶＤの記録面に記録された情報が再生されるとともにフォーカシング制御及びトラッキング制御が行われる。
【００５４】
一方、光ディスクがＣＤのときは、第２のレーザダイオード２０２のみが動作状態に置かれ、第１のレーザダイオード２０１は非動作状態に置かれる。
【００５５】
書き込みモードの場合、第２のレーザダイオード２０２から出射した第２のレーザ光は、１／４波長板２０７で偏光状態変換を受け、第２の回折格子２０４で３つの光束に分割される。第２の回折格子２０４で２つの光束に分割された第２のレーザ光は、第２のビームスプリッタ２０８で反射され、立上げミラー２０９で反射されてコリメータレンズ２１０に入射する。コリメータレンズに入射した第２のレーザ光は、そこで平行光に変換され、対物レンズで集光されて、ＣＤの記録面上に照射される。こうして、ＣＤの記録面に情報が記録される。
【００５６】
再生モードの場合は、ＤＶＤの場合と同様、上述のようにＣＤの記録面に第２のレーザ光を照射したときの反射光（第２の戻り光）が、対物レンズ２１１及びコリメータレンズ２１０で集光され、立上げミラー２０９で反射され、第２のビームスプリッタ２０８を透過して、凹レンズ２２０に入射する。そして、凹レンズ２２０に入射した第２の戻り光は、そこで拡大され、第１のビームスプリッタ２０７を透過して、光検出器２１３に入射する。そして、光検出器２１３に入射した２つの光束からなる第２の戻り光は、それぞれ電気信号に変換される。そして、光検出器２１３の出力によりＤＶＤの記録面に記録された情報が再生されるとともにフォーカシング制御及びトラッキング制御が行われる。
【００５７】
本実施の形態に係る光ピックアップの光学系においては、ＣＤ往路光学系の焦点距離をコリメータレンズの焦点距離に等しくしている。したがって、この構成では、ＣＤ往路光学系の各光学要素の配置を、ＤＶＤ往路光学系から独立した状態で設計できる。また、この構成では、第１及び第２のビームスプリッタ２０７及び２０８の間に凹レンズ２２０を配置しているので、ＤＶＤ往路光学系の各光学要素の配置を、ＣＤ往路光学系から独立して行うことができる。即ち、本実施の形態によれば、従来に比べその設計の自由度を高めることができる。
【００５８】
また、ＤＶＤ往路光学系に凹レンズ２２０を配置したことで、ＤＶＤ往路光学系の焦点距離をＣＤ往路光学系の焦点距離よりも長くすることができる。即ち、ＤＶＤ往路光学系とＣＤ往路光学系の倍率に差を設けることができる。
【００５９】
さらに、本実施の形態では、従来２個必要であってレンズを１個の減らすことができ、従来に比べその構成を簡略化でき、コストダウンを図ることができる。
【００６０】
【発明の効果】
本発明によれば、２波長対応型光ピックアップにおいて、第１のレーザダイオードから出射される第１のレーザ光を所定方向へ進行させる第１のビームスプリッタと、この第１のビームスプリッタに関して前記所定方向側に配置され、前記第１のビームスプリッタで反射された前記第１のレーザ光を透過させるとともに、前記第２のレーザダイオードから出射された前記第２のレーザ光を反射し、その進行方向を、透過させた前記第１のレーザ光の進行方向と一致させる第２のビームスプリッタとの間に、第１のレーザ光を拡大する凹レンズを配置するようにしたことで、その設計の自由度を高めることができる。
【００６１】
また、上記のように構成したことで、従来２個必要であった光学レンズを１個に減らすことができ、構成の簡略化及びコストの低減を実現することができる。
【図面の簡単な説明】
【図１】従来の２波長対応型光ピックアップの光学系の一構成例を示す図である。
【図２】本発明の一実施の形態に係る光ピックアップの光学系を示す図である。
【符号の説明】
１０１，２０１      第１のレーザダイオード
１０２，２０２      第２のレーザダイオード
１０３，２０３      第１の回折格子
１０４，２０４      第２の回折格子
１０５      集光レンズ
１０６，２０６      １／４波長板
１０７，２０７      第１のビームスプリッタ
１０８，２０８      第２のビームスプリッタ
１０９，２０９      立上げミラー
１１０，２１０      コリメータレンズ
１１１，２１１      対物レンズ
１１２      センサーレンズ
１１３，２１３      光検出器
２２０      凹レンズ
【図１】
2004288340.tif 000003
【図２】
2004288340.tif 000004